(57)【要約】【課題】  本発明は、本体および蓋体にそれぞれ設けた凸体と凹体を嵌着するだけで、ステープラ等の固定手段を併用することなく、通常の取り扱いにおいて本体と蓋体の係合をしっかりと保つことができる包装用容器の係着部構造を提供できるようにした。【解決手段】  本体部材と蓋体部材に、互いに係脱可能に嵌合する凸体２と凹体４よりなる係着手段をそれぞれ備え、シート状の合成樹脂材を真空成型してなる包装用容器の係着部構造であって、前記凸体２の外周面５に、この凸体の突出方向に延び、凸体の内方へ陥凹する溝部６を形成するとともに、前記凹体４の内周面１０に、この凹体の陥凹方向に延び、凹体の内方へ突出し、前記溝部６の形状に倣う突条部１１を形成し、これら凸体と凹体の嵌合時には、前記溝部６に突条部１１も嵌合するように構成した。【選択図】  図１
2010202234.tif 000002
【特許請求の範囲】
【請求項１】
少なくとも、被収容物の収容部を有する本体部材と、前記収容部開口を閉塞する蓋体部材とよりなり、前記本体部材と蓋体部材に、互いに係脱可能に嵌合する凸体と凹体よりなる係着手段をそれぞれ備え、シート状の合成樹脂材を真空成型してなる包装用容器の係着部構造であって、前記凸体の外周面に、この凸体の突出方向に延び、凸体の内方へ陥凹する溝部を形成するとともに、前記凹体の内周面に、この凹体の陥凹方向に延び、凹体の内方へ突出し、前記溝部の形状に倣う突条部を形成し、これら凸体と凹体の嵌合時には、前記溝部に突条部も嵌合するように構成してなる包装用容器の係着部構造。
【請求項２】
前記溝部と突条部を、それぞれ凸体と凹体の上端から下端に渡って設けてなる請求項１に記載の包装用容器の係着部構造。
【請求項３】
前記溝部と突条部を、一対の前記凸体と凹体に複数対設けてなる請求項１に記載の包装用容器の係着部構造。
【発明の詳細な説明】
【技術分野】
【０００１】
本発明は、包装用容器における本体と蓋体とを係着するための係着部構造に関し、より詳しくは、本体と蓋体の係着状態をしっかりと保つことができる包装用容器の係着部構造に関する。
【背景技術】
【０００２】
従来、可撓性を有するシート材を成型してなる包装用容器の多くは、包装用容器における商品の収容部を有する本体および同本体の収容部開口を閉塞する蓋体に、それぞれ凸体と凹体よりなる係着手段を形成していて、同凸体と凹体を嵌着することにより本体と蓋体が係合し、包装用容器の収容部開口を閉塞するようにしている（例えば、特許文献１参照）。
【０００３】
これら凸体と凹体は、円形や矩形に形成したものを包装用容器の本体および蓋体の所定部位にそれぞれ配置したり、あるいは、同本体および蓋体の対向する辺の上周に、本体側には突条をまた蓋体側には溝を配置しており、また蓋体を断面逆Ｕ字状するものは、同蓋体の凹状形状を利用して蓋体内に本体側の突条を嵌着している。
【０００４】
しかしながら、前述する凸体と凹体を嵌着することにより包装用容器の本体と蓋体とを係合するものは、例えば、客が品定めのため包装容器を手に持つことによって蓋体の端が捲れ上がり凸体と凹体とが嵌合する部位に捩れ等が生じたり、誤って落下させたりして同本体と蓋体に外力がかかると、凸体と凹体の係合力が極端に低下し、また包装用容器の成型形態によっては蓋体の開封方向への復帰力も加わって次第に凸体の突出部が凹体の窪み部内より抜け出て包装用容器が開封してしまうことがあった。
【０００５】
したがって、本体の収容部内に商品を収容した後、本体および蓋体にそれぞれ設けている凸体と凹体を嵌着して同本体と蓋体を係合した状態で、本体と蓋体をステープラや粘着テープで固定したり、あるいは、嵌合する凸体と凹体を溶着固定して、本体と蓋体の係合をしっかりと保つようにしていた。
【先行技術文献】
【特許文献】
【０００６】
【特許文献１】特開２００６−２５６６５１号公報（第１〜８頁、図１〜５）
【発明の概要】
【発明が解決しようとする課題】
【０００７】
本発明は、本体および蓋体にそれぞれ設けた凸体と凹体を嵌着するだけで、ステープラ等の固定手段を併用することなく、通常の取り扱いにおいて本体と蓋体の係合をしっかりと保つことができる包装用容器の係着部構造を提供できるようにした。
【課題を解決するための手段】
【０００８】
上述した課題を解決するために、本発明に係る包装用容器の係着部構造は、少なくとも、被収容物の収容部を有する本体部材と、前記収容部開口を閉塞する蓋体部材とよりなり、前記本体部材と蓋体部材に、互いに係脱可能に嵌合する凸体と凹体よりなる係着手段をそれぞれ備え、シート状の合成樹脂材を真空成型してなる包装用容器の係着部構造であって、前記凸体の外周面に、この凸体の突出方向に延び、凸体の内方へ陥凹する溝部を形成するとともに、前記凹体の内周面に、この凹体の陥凹方向に延び、凹体の内方へ突出し、前記溝部の形状に倣う突条部を形成し、これら凸体と凹体の嵌合時には、前記溝部に突条部も嵌合するように構成したものとしてある。
【０００９】
また前記溝部と突条部を、それぞれの上端から下端に渡って設けたものとしてある。
【００１０】
また前記溝部と突条部を、一対の前記凸体と凹体に複数対設けたものとしてある。
【発明の効果】
【００１１】
本発明の包装用容器の係着部構造によれば、包装用容器における本体および蓋体にそれぞれ設けている凸体と凹体を嵌着するだけで、凸体の溝部と凹体の突条部が嵌着するので、通常の取り扱いにおいて本体と蓋体の係合をしっかりと保つことができる。
【００１２】
したがって、包装用容器の開封を防止するためステープラ等の固定手段を併用する必要がなくなるので、包装用容器を開封して商品を取り出す際に指を傷付ける恐れもなく、商品を安全に取り出すことができる。
【００１３】
また、包装用容器における本体および蓋体の開閉（引っ張り）を繰り返したり、同本体および蓋体が落下するなどの外力を受けても、本体と蓋体の係合がしっかりと保たれるので、包装用容器自体を保管用の容器として利用することもできる。
【図面の簡単な説明】
【００１４】
【図１】本発明に係る係着部構造を備えた包装用容器の一例を示す斜視図。
【図２】図１に示した包装用容器の一部拡大斜視図。
【図３】包装用容器の閉蓋過程における係着部が係着するまでの過程を示した図１中のＡ−Ａ方向より見た包装用容器の一部拡大図。
【図４】係着部の係着状態を示した図３中（ｃ）のＣ−Ｃ断面図。
【図５】平面に見た係着部における外形形状の一例を示した図。
【図６】平面に見た係着部における外形形状の一例を示した図。
【図７】平面に見た係着部における外形形状の一例を示した図。
【図８】本発明に係る係着部構造を備えた包装用容器の一例を示す斜視図。
【発明を実施するための形態】
【００１５】
本発明に係る包装用容器の係着部構造を、被収容物の収容部を有する本体と同本体の収容部開口を閉塞する蓋体が一側で接続され、本体と蓋体にそれぞれ凸体と凹体よりなる係着手段を設けている包装用容器を例に上げて説明する。
【実施例】
【００１６】
以下、本発明の包装用容器の係着部構造を添付図面に基づいて説明する。
【００１７】
図１に示すように、包装用容器の本体１に係着手段たる凸体２を配し、また蓋体３に係着手段たる凹体４を配していて、また図２に示すように、凸体２の外周面５に、この凸体２の突出方向に延び、凸体２の内方へ陥凹する溝部６を設け、また、凹体４の内周面１０に、この凹体４の陥凹方向に延び、凹体４の内方へ突出し、前記溝部６の形状に倣う突条部１１を設けている。
【００１８】
そして、図１に示した凸体２と凹体４の嵌合時には、前記溝部６に突条部１１も嵌合するよう構成してある。
【００１９】
凸体２および凹体４に設けている溝部６と突条部１１は、図２に示したように、凸体２の外周面５における上端から下端に渡って、また凹体４の内周面１０における上端から下端に渡って設けている。
【００２０】
また、凸体２および凹体４は、凸体２および凹体４における形状、係合部位の突出長、大きさ、数量等を、同配設する包装用容器等の容器体の形状や収容する収容物の重量等を考慮して選定する。
【００２１】
そして、図３中（ａ）のように、包装用容器の収容部９（図１参照）の開口を閉塞するため同包装用容器の本体１に蓋体３を被せて行くと、図３中（ｂ）のように、本体１に有する凸体２と蓋体３に有する凹体４の係着とともに凸体２の溝部６と凹体４の突条部１１も係着し、図３中（ｃ）のように、凸体２が凹体４内に嵌合してかつ凸体２の溝部６と凹体４の突条部１１も嵌合する。
また、図３中（ａ）〜（ｃ）における蓋体３は、図１中の断面Ｂ−Ｂで表している。
【００２２】
そして、図３中（ｃ）に示した凸体２の溝部６と凹体４の突条部１１が嵌合した状態における同溝部６と突条部１１の嵌合状態は、図４に示すように、凸体２の溝部６と凹体４の突条部１１がしっかりと嵌合するようにしている。
【００２３】
そして、係着手段たる凸体２および凹体４の形状としては、平面に見た外形形状で示した図５〜７に、同形状例を示している。
【００２４】
したがって、図５中（ａ）は、外形形状を略円形にするもので、すなわち図１に示すものと同じであり、凸体２の溝部６および凹体４の突条部１１は、凸体２の外周面５および凹体４の内周面１０における２箇所に設けている。
【００２５】
図５中（ｂ）は、外形形状を矩形にするもので、凸体２の溝部６および凹体４の突条部１１は、凸体２の外周面５および凹体４の内周面１０における２箇所に設けている。
【００２６】
図５中（ｃ）は、外形形状を、図中の上方を略円形とし、同下方を矩形にするもので、すなわち図中において外形形状を上下非対称にするもので、凸体２の溝部６および凹体４の突条部１１は、凸体２の外周面５および凹体４の内周面１０における２箇所に設けている。
【００２７】
図６中（ａ）は、外形形状を略円形にするもので、凸体２の溝部６および凹体４の突条部１１は、凸体２の外周面５および凹体４の内周面１０における片側の１箇所に設けている。
【００２８】
図６中（ｂ）は、外形形状を矩形にするもので、凸体２の溝部６および凹体４の突条部１１は、凸体２の外周面５および凹体４の内周面１０における４辺のそれぞれに１箇所ずつ設けている。
【００２９】
また実施例には示してはいないが、図６中（ｂ）のように、溝部６および突条部１１を、凸体２の外周面５および凹体４の内周面１０における４辺にそれぞれ１箇所ずつ設けるのではなく、凸体２の外周面５および凹体４の内周面１０における所定の３辺にそれぞれ１箇所ずつ設ける場合もある。
【００３０】
図７中（ａ）は、外形形状を略円形にするもので、凸体２の溝部６および凹体４の突条部１１は、凸体２の外周面５および凹体４の内周面１０における片側に２箇所設けている。
【００３１】
図７中（ｂ）は、外形形状を略円形にするもので、凸体２の溝部６および凹体４の突条部１１は、凸体２の外周面５および凹体４の内周面１０における両側にそれぞれ２箇所ずつ設けている。
【００３２】
図７中（ｃ）は、外形形状を、図中の上方を略円形とし、同下方を矩形にするもので、すなわち図中において外形形状を上下非対称にするもので、凸体２の溝部６および凹体４の突条部１１は、凸体２の外周面５および凹体４の内周面１０における両側にそれぞれ２箇所ずつ設けている。
【００３３】
したがって、包装用容器の本体１に蓋体３を被せて本体１に有する凸体２と蓋体３に有する凹体４とを係着（嵌合）して収容部９の開口を閉塞した状態で、例えば、図４に示すように、客が品定めのために同容器を手に持ったり、また、誤って落下させて同容器に外力がかかった場合には、縁部１４が歪んで凸体２と凹体４に変形が生じ、凸体２の溝部６における下部と凹体４の突条部１１における上部に応力が集中し、凹体が凸体を加締めるので、凸体が凹体内より抜け出ようとしても、凸体２における溝部６と、凹体４の突条部１１の摩擦に加えて、上記加締めの力が加わり、凹体３内からの凸体２の抜け落ちが抑止できる。
【００３４】
また、図８に示した本体１および蓋体３の対向するそれぞれの辺に、本体１には凸体２ａを、蓋体３には同蓋体３の断面逆Ｕ字状を利用して蓋体３自体を凹体として兼用している包装用容器の場合は、凸体２ａの外周面５ａおよび蓋体３の内周壁１０ａにおける嵌合する際に対となる位置に、前記外周面５ａの上端から下端に渡る溝部６ａおよび前記内周壁１０ａの上端から下端に渡る突条部１１ａを設けている。
そして、本体１の凸体２ａは、蓋体３の内周壁１０ａ内に嵌着する。
【００３５】
したがって、包装用容器の本体１に蓋体３を被せて本体１に有する凸体２ａと凹体を兼用している蓋体３における内周壁１０ａとを係着（嵌合）して収容部９の開口を閉塞した状態で、例えば、客が品定めのために同容器を手に持ったり、また、誤って落下させて同容器に外力がかかった場合には、縁部１４（図示せず）が歪んで凸体２ａと蓋体３に変形が生じ、凸体２ａの溝部６ａにおける下部と蓋体３の突条部１１ａにおける上部に応力が集中し、蓋体が凸体を加締めるので、凸体が蓋体内より抜け出ようとしても、凸体２ａにおける溝部６ａと、蓋体３の突条部１１ａの摩擦に加えて、上記加締めの力が加わり、蓋体３からの凸体２ａの抜け落ちが抑止できる
【００３６】
なお、加締めの力は、外力の大きさに略比例するので、衝撃や引っ張る力が大きくても十分な嵌合強度が得られる。
【００３７】
上記実施例では、溝部６、６ａおよび突条部１１、１１ａを連続した溝および条として記載しているが、溝部６と突条部１１を係着できれば連続していなくてもよい。
【産業上の利用可能性】
【００３８】
本発明は、通常の取り扱いにおいて本体と蓋体の係合をしっかりと保つことができる包装用容器に関するものである。
【符号の説明】
【００３９】
１  本体
２  凸体
２ａ  凸体
３  蓋体
４  凹体
５  外周面
５ａ  外周面
６  溝部
６ａ  溝部
９  収容部
１０  内周面
１０ａ  内周壁
１１  突条部
１１ａ  突条部
１４  縁部
【図１】
2010202234.tif 000003
【図２】
2010202234.tif 000004
【図３】
2010202234.tif 000005
【図４】
2010202234.tif 000006
【図５】
2010202234.tif 000007
【図６】
2010202234.tif 000008
【図７】
2010202234.tif 000009
【図８】
2010202234.tif 000010